(57)【特許請求の範囲】
【請求項１】
吸気口と排気口を有する本体ケースと、この本体ケース内に設けられた冷凍サイクルとを備え、前記冷凍サイクルは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けると共に、この送風手段の風路であって、放熱器と吸熱器の間に除湿ローターの放湿部を設け、この除湿ローターの吸湿部は吸熱器と排気口の間に設け、前記除湿ローターの放湿部と吸熱器の間の風路には冷媒熱交換器を介在させ、前記冷媒熱交換器は、前記冷凍サイクルの放熱器から膨張手段までの冷媒路と、この冷凍サイクルの、吸熱器から圧縮機までの冷媒路を熱的に結合し、前記除湿ローターの放湿部を通過した空気は、前記冷媒熱交換器で一部結露する構成とした除湿装置。
【請求項２】
冷媒熱交換器は、冷凍サイクルの放熱器から膨張手段までの冷媒路と、この冷凍サイクルの、吸熱器から圧縮機までの冷媒路を同軸状に熱的に結合して構成した請求項１に記載の除湿装置。
【請求項３】
冷媒熱交換器は、冷凍サイクルの放熱器から膨張手段までの冷媒路を、この冷凍サイクルの、吸熱器から圧縮機までの冷媒路の中に同軸状に熱的に結合して構成した請求項２に記載の除湿装置。
【請求項４】
冷媒熱交換器は、本体ケース内において傾斜させて配置した請求項１から３のいずれか一つに記載の除湿装置。
【請求項５】
冷媒熱交換器は、冷凍サイクルの放熱器から吸熱器までの冷媒路では、放熱器側を上側として傾斜させて配置した請求項４に記載の除湿装置。
【請求項６】
冷媒熱交換器は、冷凍サイクルの吸熱器から圧縮機までの冷媒路では、圧縮機側を上側として傾斜させて配置した請求項４または５に記載の除湿装置。
【請求項７】
冷媒熱交換器は、吸熱器から圧縮機までの冷媒路外に放熱フィンを配置した請求項３から６のいずれか一つに記載の除湿装置。
【請求項８】
冷媒熱交換器は、吸熱器から圧縮機までの冷媒路外に溝を配置した請求項３から６のいずれか一つに記載の除湿装置。
【請求項９】
冷媒熱交換器の下方にドレンパンを設けた請求項１から８のいずれか一つに記載の除湿装置。
【発明の詳細な説明】
【技術分野】
【０００１】
本発明は、冷凍サイクルを活用した除湿装置に関する。
【背景技術】
【０００２】
従来のこの種、除湿装置の構成は以下のようになっていた。
【０００３】
すなわち、吸気口と排気口を有する本体ケースと、この本体ケース内に設けられた冷凍サイクルとを備え、前記冷凍サイクルは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けた構成となっていた（例えば特許文献１参照）。
【先行技術文献】
【特許文献】
【０００４】
【特許文献１】特開平６−３３１１６７号公報
【発明の概要】
【発明が解決しようとする課題】
【０００５】
上記従来例における課題は、除湿能力が低いということであった。
【０００６】
すなわち、従来の物においては、吸熱器で室内空気を結露させ、これによって除湿を行おうとするものであるが、冷凍サイクルにおいて圧縮機に冷媒が液化の状態で供給されると、この圧縮機の機能を阻害してしまうので、吸熱器において冷媒が確実にガス化された状態で圧縮機に戻るようにしている。しかしながら、吸熱器内で冷媒を確実にガス化させようとすると、吸熱器内で冷媒がガス化した部分は、温度が高くなり結露しにくくなり、その結果として今度は吸熱器部分における結露量が減少し、結論として除湿能力が低いものになってしまうのであった。
【０００７】
そこで本発明は、除湿能力の向上を図ることを目的とするものである。
【課題を解決するための手段】
【０００８】
そしてこの目的を達成するために本発明は、吸気口と排気口を有する本体ケースと、この本体ケース内に設けられた冷凍サイクルとを備え、前記冷凍サイクルは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けると共に、この送風手段の風路であって、放熱器と吸熱器の間に除湿ローターの放湿部を設け、この除湿ローターの吸湿部は吸熱器と排気口の間に設け、前記除湿ローターの放湿部と吸熱器の間の風路には冷媒熱交換器を介在させ、前記冷媒熱交換器は、前記冷凍サイクルの放熱器から膨張手段までの冷媒路と、この冷凍サイクルの、吸熱器から圧縮機までの冷媒路を熱的に結合し、前記除湿ローターの放湿部を通過した空気は、前記冷媒熱交換器で一部結露する構成とし、これにより初期の目的を達成するものである。
【発明の効果】
【０００９】
以上のように本発明は、吸気口と排気口を有する本体ケースと、この本体ケース内に設けられた冷凍サイクルとを備え、前記冷凍サイクルは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けると共に、この送風手段の風路であって、放熱器と吸熱器の間に除湿ローターの放湿部を設け、この除湿ローターの吸湿部は吸熱器と排気口の間に設け、前記除湿ローターの放湿部と吸熱器の間の風路には冷媒熱交換器を介在させ、前記冷媒熱交換器は、前記冷凍サイクルの放熱器から膨張手段までの冷媒路と、この冷凍サイクルの、吸熱器から圧縮機までの冷媒路を熱的に結合し、前記除湿ローターの放湿部を通過した空気は、前記冷媒熱交換器で一部結露する構成としたものであり、除湿能力を向上させることが出来るものである。
【００１０】
すなわち、前記除湿ローターの放湿部と吸熱器の間の風路に冷媒熱交換器を介在させたので、まず、この冷媒熱交換器においても除湿ローターの放湿部を通過した空気の一部を結露させることができ、次にこの冷媒熱交換器を設けたことにより、吸熱器から圧縮機に戻る冷媒を加熱しガス化することができることの起因し、結論とし、吸熱器では大量の結露をさせることができるようになり、これらの結果により、除湿能力を向上させることが出来るのである。
【図面の簡単な説明】
【００１１】
【図１】本発明の一実施形態の斜視図
【図２】同断面図
【図３】同吸熱器の斜視図
【図４】同除湿ローター部分の背面図
【図５】同冷媒熱交換器の斜視図
【図６】同冷媒熱交換器の断面斜視図
【図７】本発明の他の実施形態の冷媒熱交換器の斜視図
【図８】同冷媒熱交換器の断面斜視図
【図９】本発明の更に他の実施形態の冷媒熱交換器の斜視図
【発明を実施するための形態】
【００１２】
以下本発明の一実施形態を添付図面を用いて説明する。
【００１３】
図１に示すごとく、本実施形態の除湿装置は、吸気口１と排気口２を有する本体ケース３と、この本体ケース３内に設けられた図２に示す冷凍サイクル４とを備えている。
【００１４】
前記冷凍サイクル４は、圧縮機５と、圧縮機５の下流に順次設けた放熱器６、膨張手段７、吸熱器８とにより形成している。
【００１５】
前記吸気口１から本体ケース３内には、送風手段９により空気が吸気され、この吸気された空気は、その後放熱器６、吸熱器８を順次介して排気口２へと送風される。
【００１６】
本実施形態において特徴は、送風手段９の風路であって、放熱器６と吸熱器８の間に除湿ローター１０の放湿部１１を設け、この除湿ローター１０の吸湿部１２は吸熱器８と排気口２の間に設けたこと、およびこの除湿ローター１０の放湿部１１と吸熱器８の間の風路に冷媒熱交換器１３を介在させたことである。
【００１７】
すなわち、圧縮機５で加圧された冷媒は、放熱器６に送られ、ここで吸気口１から本体ケース３内に吸気された空気を加熱する。次に、放熱器６を通過した冷媒は、温度が下がった状態で冷媒熱交換器１３を介して、膨張手段７に到達し、その後、吸熱器８、次に冷媒熱交換器１３を介して、圧縮機５へと戻るサイクルになっている。
【００１８】
上記放熱器６で加熱された空気は、次に除湿ローター１０の放湿部１１を通過し、ここで放湿部１１からの湿気を奪った状態で冷媒熱交換器１３、吸熱器８へと流れることになる。
【００１９】
ここでまず、除湿ローター１０の放湿部１１を通過した空気は、冷媒熱交換器１３で一部結露し、次に吸熱器８で図３に示すごとく、本格的な結露が行われ、この結露水は貯水タンク１４へと貯められることになる。
【００２０】
さて、吸熱器８を通過した空気は、この吸熱器８によって低温となるが、低温ながらも湿度は極めて高い状態となっている。この高い湿度を含んだ低温の空気は、次に除湿ローター１０の吸湿部１２を通過することになるのであるが、この吸湿部１２は、駆動手段１５により回転駆動されることにより図２の上方の放湿部１１部分ですでに放湿し、湿度が低い状態となっているものであるので、上記低温ながらも湿度は極めて高い状態の空気から湿気を吸湿することができる。
【００２１】
これらのことから、本実施形態の除湿装置は、除湿効果の極めて高いものとすることができる。
【００２２】
さて、冷媒熱交換器１３について、さらに詳細に説明すると、本実施形態の冷媒熱交換器１３は、冷凍サイクルの放熱器６から膨張手段７までの冷媒路と、この冷凍サイクルの、吸熱器８から圧縮機５までの冷媒路を熱的に結合して構成したものである。具体的には、この冷媒熱交換器１３は、冷凍サイクルの放熱器６から膨張手段７までの冷媒路を、この冷凍サイクルの、吸熱器８から圧縮機５までの冷媒路の中に同軸状に熱的に結合した構成としている。
【００２３】
この冷媒熱交換器１３は、図４のごとく、本体ケース３内において傾斜させて配置されている。具体的には、この冷媒熱交換器１３は、図５，図６に示す冷凍サイクル４の放熱器６から吸熱器８までの冷媒路１３ａでは、図４に示しごとく放熱器６側（ａ）を上側として傾斜させ、また、冷凍サイクル４の吸熱器８から圧縮機５までの冷媒路１３ｂでは、圧縮機５側（ｂ）を上側として傾斜させて配置している。
【００２４】
すなわち、吸熱器８から圧縮機５に向かう低温側が、図４に示すごとく下側となることによって、この冷媒熱交換器１３での結露水は、本体ケース３の外方に漏れ出すことはなく、冷媒熱交換器１３の下方のドレンパン１６に捕獲され、その後上記貯水タンク１４へと集められる。
【００２５】
さて、本実施形態においては、吸熱器８の下流に冷媒熱交換器１３を設けているので、吸熱器８を通過した冷媒は、この冷媒熱交換器１３によって再度加熱され、ガス化されることになるので、圧縮機５の動作が阻害されることはない。
【００２６】
また、このことにより、吸熱器８の結露効率を高めることもできる。
【００２７】
図７、図８は、本発明の他の実施形態を示し、吸熱器８から圧縮機５までの冷媒路外に放熱フィン１７を配置したものであり、冷媒熱交換器１３の除湿能力を更に高めることができる。
【００２８】
図９は、本発明のさらに他の実施形態を示し、吸熱器８から圧縮機５までの冷媒路外に溝１８を配置したものであり、結露水をドレンパン１６に導き易くなる。
【産業上の利用可能性】
【００２９】
以上のように本発明は、吸気口と排気口を有する本体ケースと、この本体ケース内に設けられた冷凍サイクルとを備え、前記冷凍サイクルは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けると共に、この送風手段の風路であって、放熱器と吸熱器の間に除湿ローターの放湿部を設け、この除湿ローターの吸湿部は吸熱器と排気口の間に設け、前記除湿ローターの放湿部と吸熱器の間の風路には冷媒熱交換器を介在させたものであり、除湿能力を向上させることが出来るものである。
【００３０】
すなわち、前記除湿ローターの放湿部と吸熱器の間の風路に冷媒熱交換器を介在させたので、まず、この冷媒熱交換器においても除湿ローターの放湿部を通過した空気の一部を結露させることができ、次にこの冷媒熱交換器を設けたことにより、吸熱器から圧縮機に戻る冷媒を加熱しガス化することができることの起因し、結論とし、吸熱器では大量の結露をさせることができるようになり、これらの結果により、除湿能力を向上させることが出来るのである。
【００３１】
従って、家庭用や事務所用などの、除湿装置として活用が期待されるものである。
【符号の説明】
【００３２】
１    吸気口
２    排気口
３    本体ケース
４    冷凍サイクル
５    圧縮機
６    放熱器
７    膨張手段
８    吸熱器
９    送風手段
１０  除湿ローター
１１  放湿部
１２  吸湿部
１３  冷媒熱交換器
１４  貯水タンク
１５  駆動手段
１６  ドレンパン
１７  放熱フィン
１８  溝
【図１】
0005358951.tif 000002
【図２】
0005358951.tif 000003
【図３】
0005358951.tif 000004
【図４】
0005358951.tif 000005
【図５】
0005358951.tif 000006
【図６】
0005358951.tif 000007
【図７】
0005358951.tif 000008
【図８】
0005358951.tif 000009
【図９】
0005358951.tif 000010